(57)【特許請求の範囲】
【請求項１】
被写体像を撮像するための撮像手段と、
前記撮像手段により撮像された画像の画像処理を行う画像処理手段と、
前記画像処理手段により処理された画像を表示するための画像表示手段と、
予め設定された複数の色の中から１つの特定色をユーザーに選択させるための特定色選択手段と、
前記特定色選択手段で選択された特定色に対して前記画像処理手段で色補正を行う色補正手段と、を有し、
特定色を選択する際にスルー画像を前記画像表示手段に表示し、前記特定色選択手段によって特定色が選択されたときには、前記スルー画像の前記特定色以外の色を無彩色で表示するように構成したことを特徴とする撮像装置。
【請求項２】
前記色補正手段は、前記特定色の彩度を補正することを特徴とする請求項１に記載の撮像装置。
【請求項３】
前記色補正手段は、前記特定色の色相を補正することを特徴とする請求項１に記載の撮像装置。
【請求項４】
被写体像を撮像するための撮像手段と、
前記撮像手段により撮像された画像の画像処理を行う画像処理手段と、
前記画像処理手段により処理された画像を表示するための画像表示手段と、
予め設定された複数の色の中から１つの特定色をユーザーに選択させるための特定色選択手段と、
前記特定色選択手段で選択された特定色に対して前記画像処理手段で色補正を行う色補正手段と、
前記特定色選択手段により設定された特定色に対して、前記色補正手段で補正する設定値を予め設定された設定値の中から選択する色補正設定値変更手段と、
を有し、前記色補正設定値変更手段によって色補正設定値が変更されたときには、スルー画像の表示方法を変更することを特徴とする撮像装置。
【請求項５】
前記スルー画像の表示方法の変更は、該変更前の色補正設定値で処理した前記スルー画像と、該変更後の色補正設定値で処理したスルー画像とを、所定の時間間隔で切り替えることで実行されることを特徴とする請求項４に記載の撮像装置。
【請求項６】
前記スルー画像の表示方法の変更は、該変更前の色補正設定値で処理した前記スルー画像と、該変更後の色補正設定値で処理したスルー画像とを、並べて表示することで実行されることを特徴とする請求項４に記載の撮像装置。
【請求項７】
被写体像を撮像するための撮像手段と、
前記撮像手段により撮像された画像の画像処理を行う画像処理手段と、
前記画像処理手段により処理された画像を表示するための画像表示手段と、
予め設定された複数の色の中から１つの特定色をユーザーに選択させるための特定色選択手段と、
前記特定色選択手段で選択された特定色に対して前記画像処理手段で色補正を行う色補正手段と、
前記画像表示手段の画面内の座標を選択する領域選択手段と、を有し、
特定色の色補正モードにおいて選択した領域を、前記色補正手段で現像して並べられた画像から選択することができるように構成したことを特徴とする撮像装置。
【請求項８】
前記色補正手段は、特定色の彩度，色相を補正することを特徴とする請求項７に記載の撮像装置。
【請求項９】
特定色の判定時に、ある一定の画素範囲を判定対象とし、特定色の判定領域内である所定の画素の画素数が所定の閾値以上である場合に、特定色の判定領域内であると判断することを特徴とする請求項７に記載の撮像装置。
【請求項１０】
特定色を判定する際に、該特定色の選択箇所の色を計算して特定色に該当するか否かの判定を行い、選択した特定色に該当しない場合は警告を出すことを特徴とする請求項９に記載の撮像装置。
【請求項１１】
前記警告を出した後、前記判定した特定色が、別の特定色の領域に該当していた場合に、前記該当した特定色の選択モードに移行することができるように構成したことを特徴とする請求項１０に記載の撮像装置。
【請求項１２】
特定色の補正時に、ヘルプモードを選択した場合には、特定色の更新処理を行った後のサンプル画像を設定値と並べて表示することを特徴とする請求項７に記載の撮像装置。
【請求項１３】
撮像された画像の画像処理を行う画像処理ステップと、
前記画像処理ステップを介して処理された画像を表示する画像表示ステップと、
予め設定された複数の色の中から１つの特定色をユーザーに選択させるための特定色選択ステップと、
前記特定色選択ステップで選択された特定色に対して前記画像処理ステップで色補正を行う色補正ステップと、を有し、
前記特定色選択ステップでは、スルー画像を前記画像表示ステップを介して表示すると共に、表示した該スルー画像の複数の色の中から１つの特定色が選択されたときには、前記スルー画像の前記特定色以外の色を無彩色で表示するものであることを特徴とする撮像処理方法。
【請求項１４】
撮像された画像の画像処理を行う画像処理ステップと、
前記画像処理ステップを介して処理された画像を表示する画像表示ステップと、
予め設定された複数の色の中から１つの特定色をユーザーに選択させるための特定色選択ステップと、
前記特定色選択ステップで選択された特定色に対して前記画像処理ステップで色補正を行う色補正ステップと、
前記特定色選択ステップにより設定された特定色に対して、前記色補正ステップで補正する設定値を予め設定された設定値の中から選択する色補正設定値変更ステップと、
を有し、前記色補正設定値変更ステップによって色補正設定値が変更されたときには、スルー画像の表示方法を変更することを特徴とする撮像処理方法。
【請求項１５】
撮像された画像の画像処理を行う画像処理ステップと、
前記画像処理ステップを介して処理された画像を表示する画像表示ステップと、
予め設定された複数の色の中から１つの特定色をユーザーに選択させるための特定色選択ステップと、
前記特定色選択ステップで選択された特定色に対して前記画像処理ステップで色補正を行う色補正ステップと、
画像表示手段の画面内の座標を選択する領域選択ステップと、を有し、
前記特定色選択ステップでは、特定色の色補正モードにおいて選択した領域を、前記色補正ステップで現像して並べられた画像から選択することができるようにすることを特徴とする撮像処理方法。
【発明の詳細な説明】
【技術分野】
【０００１】
本発明は、撮像装置および撮像処理方法に係り、特に、画質設定における色設定（彩度や色相の設定）を視覚的に容易に認識できるようにした撮像装置および撮像処理方法に関する。
【背景技術】
【０００２】
最近の撮像装置は、画像処理の際に、ユーザーの様々な趣向に合わせるために、画質設定値を選択できるようにしているが、工場出荷時には、デフォルト設定と呼ばれる、予め設定された標準設定値を備えている。即ち、標準設定値として予め設定された画質設定値（彩度、色相、シャープネス、コントラスト等の各設定項目）の中から、ユーザーがさらに選択（一般には変更）し、この設定値を保持させることによって、好みの設定で撮影できる機能を備えた撮像装置が提案されている。
前述の画質設定のための具体的な設定方法にも様々な提案が見られる。例えば、５段階の設定がある場合に、デフォルト設定値を０として−２、−１、０、＋１、＋２と表示し、このデフォルト設定値からプラス側、或いはマイナス側を選択させる方法が有る。
また、例えば、設定値の範囲として、０、１、２、３、４と具体的な数値表示すると共に、デフォルト設定値を１として表示した上で、該デフォルト設定値の数字を変更させることによって選択させる方法の提案がある。
ところで、画質設定の項目中で、彩度、シャープネスおよびコントラストについては、設定値の数字が上がる（または下がる）といったイメージと、彩度、シャープネスおよびコントラストが高くなる（または低くなる）といったイメージとが、感覚的にも比較的結び付け易いものであり、よって、大きな問題点は存在していない。
【０００３】
画質設定の項目中で彩度に関するものとしては、例えば、特許文献１には、コンピュータから転送されたＲＧＢ画像データをＹＭＣＫ画像データに変換して印刷する画像形成装置に装備される出力画像の彩度を調整する彩度調整装置において、彩度特性をグラフとして表示し、表示された彩度特性を調整するために彩度位置を各位相ごとに指定し、指定された彩度位置に基づいて彩度特性を変更する技術が開示されている。
しかしながら、画質設定の項目中で色相については、色空間上での回転であるため、上記のような設定値を上げる（または下げる）といった設定方法であっては感覚的にも分かり難くなるという問題点が残されている。
そこで、上記の問題点を解決する技術として、例えば、特許文献２，３では、画像処理に関する設定状態を示す設定状態表示領域と、設定状態における色状態を図示する色状態表示領域とを用意し、色状態表示領域には、色設定状態における色状態を、複数の色成分（レッド、グリーン、ブルー、イエロー、シアン、マゼンタ）を各軸としたレーダーチャートで図示し、彩度や色相に応じてレーダーチャートの形状や大きさを変化させる方法が開示されている。
【発明の概要】
【発明が解決しようとする課題】
【０００４】
ところで、従来の撮像装置は、前述のとおり、画質設定の項目において、色相については、色空間上での回転によるため、彩度、シャープネスおよびコントラストに対する設定方法のように、設定値を上げる（または下げる）といった設定方法であっては、その効果が分かり難くなるといった問題点が生じている。
なお、前述の特許文献２，３に開示された技術は、前述のとおり、色設定状態における色状態を、複数の色成分（レッド、グリーン、ブルー、イエロー、シアン、マゼンタ）を各軸としたレーダーチャートで表示し、彩度や色相に応じてレーダーチャートの形状や大きさを変化させるものであり、レーダーチャートを見ることで色設定変更による色変化が分かり易くはなっているが、実際に、目の前の被写体に対して、どの程度色が変化するかは、レーダーチャートに関して、或る程度熟知していないと判断が難しいものである。
本発明は、上述の問題点に鑑みてなされたもので、画質設定における色設定（彩度や色相の設定）を視覚的に容易に認識できるようにした撮像装置および撮像処理方法を提供することを目的としている。
即ち、本発明の請求項１の目的は、特に、予め設定された複数の色の中から１つの特定色をユーザーに選択させるに際して、被写体像のスルー画像を表示することを可能にして、複数の色の中から１つの特定色が選択されたときには、前記スルー画像の前記特定色以外の色を無彩色で表示できるようにして、色補正を容易に行い得る撮像装置を提供することにある。
【０００５】
また、本発明の請求項２の目的は、特に、色補正に際して、選択された特定色の彩度を容易に補正することができる撮像装置を提供することにある。
また、本発明の請求項３の目的は、特に、色補正に際して、特定色の色相を容易に補正することができる撮像装置を提供することにある。
また、本発明の請求項４の目的は、特に、特定色の選択により設定された特定色に対して、色補正で補正する設定値を予め設定された設定値の中から選択できるようにすると共に、色補正設定値が変更されたときには、スルー画像の表示方法を変更することができ、ユーザーは意図した色補正を選択し得る撮像装置を提供することにある。
また、本発明の請求項５の目的は、特に、スルー画像の表示方法の変更を、変更前の色補正設定値で処理した前記スルー画像と、変更後の色補正設定値で処理したスルー画像とを、所定の時間間隔で切り替えることで、色補正の変更具合を比較しながら、確認することができ、ユーザーは意図した色補正を選択し得る撮像装置を提供することにある。
また、本発明の請求項６の目的は、彩度、色相を変更して実際に色補正を行った画像を選択することで、実際の被写体と比べて比較を行うことができ、正確な色あわせを容易に認識し、色補正値を変更して正確な色合わせを行い得る撮像装置を提供することにある。
【０００６】
また、本発明の請求項７の目的は、彩度、色相を変更して実際に色補正を行った画像を選択することで、実際の被写体と比べて比較を行うことができ、正確な色あわせを行い得ると共に、スルー画と撮影後の色味の違いによる失敗を防止し得る撮像装置を提供することにある。
また、本発明の請求項８の目的は、特に、特定色の色補正を行うに際して、特定色の彩度、色相を正確に補正し得る撮像装置を提供することにある。
また、本発明の請求項９の目的は、特に、特定色の判定時に、ある一定の画素範囲を判定対象とし、特定色の判定領域内で所定の画素の画素数が所定の閾値以上である場合に、特定色の判定領域内であると判断することにより、正確な色あわせを行い得る撮像装置を提供することにある。
【０００７】
また、本発明の請求項１０の目的は、特に、特定色を判定する際に、該特定色の選択箇所の色を計算して特定色に該当するか否かの判定を行い、選択した特定色に該当しない場合は警告を出すことにより、ユーザーの操作性を向上させ得る撮像装置を提供することにある。
また、本発明の請求項１１の目的は、特に、警告を出した後、判定した特定色が、別の特定色の領域に該当していた場合に、該当した特定色の選択モードに移行するようにして、ユーザーの操作性を向上させ得る撮像装置を提供することにある。
また、本発明の請求項１２の目的は、特に、特定色の選択時に、ヘルプモードの場合には、設定値と特定色の更新処理を行った後のサンプル画像を併せて表示することで、設定を変更した場合に、どう変化するか、簡単に大まかなイメージを把み得ると共に、撮影前に事前に色味の設定を変えておきたい場合など、その場に色がなくても概要を把握し得る撮像装置を提供することにある。
【０００８】
また、本発明の請求項１３の目的は、特に、予め設定された複数の色の中から１つの特定色をユーザーに選択させるに際して、被写体像のスルー画像を表示することを可能にして、ユーザーが、現在見ている被写体の中で、どの色を補正しようとしているのかを容易に認識し得る撮像処理方法を提供することにある。
また、本発明の請求項１４の目的は、特に、特定色の選択により設定された特定色に対して、色補正で補正する設定値を予め設定された設定値の中から選択できるようにすると共に、色補正設定値が変更されたときには、スルー画像の表示方法を変更することができ、ユーザーは意図した色補正を選択し得る撮像処理方法を提供することにある。
また、本発明の請求項１５の目的は、特に、複数の色の中からユーザーに１つの特定色を選択させると共に、該選択された１つの特定色の色補正を行うに際して、画像表示装置の画面内の座標を選択し、特定色の色補正モードにおいて選択した領域を、現像して並べられた画像から選択することができるようにして、選択された特定色の色補正を容易に行うことができる撮像処理方法を提供することにある。
【課題を解決するための手段】
【０００９】
請求項１に記載した本発明に係る撮像装置は、上述した目的を達成するために、
被写体像を撮像するための撮像手段と、
前記撮像手段により撮像された画像の画像処理を行う画像処理手段と、
前記画像処理手段により処理された画像を表示するための画像表示手段と、
予め設定された複数の色の中から１つの特定色をユーザーに選択させるための特定色選択手段と、
前記特定色選択手段で選択された特定色に対して前記画像処理手段で色補正を行う色補正手段と、を有し、
特定色を選択する際にスルー画像を前記画像表示手段に表示し、前記特定色選択手段によって特定色が選択されたときには、前記スルー画像の前記特定色以外の色を無彩色で表示するように構成したことを特徴としている。
請求項２に記載した本発明に係る撮像装置は、
前記色補正手段により、前記特定色の彩度を補正することを特徴としている。
請求項３に記載した本発明に係る撮像装置は、
前記色補正手段により、前記特定色の色相を補正することを特徴としている。
【００１０】
請求項４に記載した本発明に係る撮像装置は、上述の目的を達成するために、
被写体像を撮像するための撮像手段と、
前記撮像手段により撮像された画像の画像処理を行う画像処理手段と、
前記画像処理手段により処理された画像を表示するための画像表示手段と、
予め設定された複数の色の中から１つの特定色をユーザーに選択させるための特定色選択手段と、
前記特定色選択手段で選択された特定色に対して前記画像処理手段で色補正を行う色補正手段と、
前記特定色選択手段により設定された特定色に対して、前記色補正手段で補正する設定値を予め設定された設定値の中から選択する色補正設定値変更手段と、
を有し、前記色補正設定値変更手段によって色補正設定値が変更されたときには、スルー画像の表示方法を変更することを特徴としている。
請求項５に記載した本発明に係る撮像装置は、
前記スルー画像の表示方法の変更は、該変更前の色補正設定値で処理した前記スルー画像と、該変更後の色補正設定値で処理したスルー画像とを、所定の時間間隔で切り替えることで実行されることを特徴としている。
【００１１】
請求項６に記載された本発明に係る撮像装置は、
前記スルー画像の表示方法の変更は、該変更前の色補正設定値で処理した前記スルー画像と、該変更後の色補正設定値で処理したスルー画像とを、並べて表示することで実行されることを特徴としている。
請求項７に記載された本発明に係る撮像装置は、上述の目的を達成するために、
被写体像を撮像するための撮像手段と、
前記撮像手段により撮像された画像の画像処理を行う画像処理手段と、
前記画像処理手段により処理された画像を表示するための画像表示手段と、
予め設定された複数の色の中から１つの特定色をユーザーに選択させるための特定色選択手段と、
前記特定色選択手段で選択された特定色に対して前記画像処理手段で色補正を行う色補正手段と、
画像表示装置の画面内の座標を選択する領域選択手段と、を有し、
特定色の色補正モードにおいて選択した領域を、前記色補正手段で現像して並べられた画像から選択することができるように構成したことを特徴としている。
【００１２】
請求項８に記載された本発明に係る撮像装置は、
前記色補正手段は、特定色の彩度，色相を補正することを特徴としている。
請求項９に記載された本発明に係る撮像装置は、
特定色の判定時に、ある一定の画素範囲を判定対象とし、特定色の判定領域内で所定の画素の画素数が所定の閾値以上である場合に、特定色の判定領域内であると判断することを特徴としている。
請求項１０に記載された本発明に係る撮像装置は、
特定色を判定する際に、該特定色の選択箇所の色を計算して特定色に該当するか否かの判定を行い、選択した特定色に該当しない場合は警告を出すことを特徴としている。
請求項１１に記載された本発明に係る撮像装置は、
前記警告を出した後、前記判定した特定色が、別の特定色の領域に該当していた場合に、前記該当した特定色の選択モードに移行することができるように構成したことを特徴としている。
請求項１２に記載された本発明に係る撮像装置は、
特定色の補正時に、ヘルプモードを選択した場合には、特定色の更新処理を行った後のサンプル画像を設定値と並べて表示することを特徴としている。
【００１３】
請求項１３に記載された本発明に係る撮像処理方法は、上述の目的を達成するために、
撮像された画像の画像処理を行う画像処理ステップと、
前記画像処理ステップを介して処理された画像を表示する画像表示ステップと、
予め設定された複数の色の中から１つの特定色をユーザーに選択させるための特定色選択ステップと、
前記特定色選択ステップで選択された特定色に対して前記画像処理ステップで色補正を行う色補正ステップと、を有し、
前記特定色選択ステップでは、スルー画像を前記画像表示ステップを介して表示すると共に、表示した該スルー画像の複数の色の中から１つの特定色が選択されたときには、前記スルー画像の前記特定色以外の色を無彩色で表示するものであることを特徴としている。
請求項１４に記載された本発明に係る撮像処理方法は、上述の目的を達成するために、撮像された画像の画像処理を行う画像処理ステップと、
前記画像処理ステップを介して処理された画像を表示する画像表示ステップと、
予め設定された複数の色の中から１つの特定色をユーザーに選択させるための特定色選択ステップと、
前記特定色選択ステップで選択された特定色に対して前記画像処理ステップで色補正を行う色補正ステップと、
前記特定色選択ステップにより設定された特定色に対して、前記色補正ステップで補正する設定値を予め設定された設定値の中から選択する色補正設定値変更ステップと、
を有し、前記色補正設定値変更ステップによって色補正設定値が変更されたときには、スルー画像の表示方法を変更することを特徴としている。
【００１４】
請求項１５に記載された本発明に係る撮像処理方法は、上述の目的を達成するために、
撮像された画像の画像処理を行う画像処理ステップと、
前記画像処理ステップを介して処理された画像を表示する画像表示ステップと、
予め設定された複数の色の中から１つの特定色をユーザーに選択させるための特定色選択ステップと、を有し、
前記特定色選択ステップで選択された特定色に対して前記画像処理ステップで色補正を行う色補正ステップと、
画像表示手段の画面内の座標を選択する領域選択ステップと、を有し、
前記特定色選択ステップでは、特定色の色補正モードにおいて選択した領域を、前記色補正ステップで現像して並べられた画像から選択することができるようにすることを特徴としている。
【発明の効果】
【００１５】
本発明によれば、画質設定における色設定（彩度や色相の設定）を視覚的に容易に認識することができる撮像装置および撮像処理方法を提供することができる。
即ち、本発明の請求項１の撮像装置によれば、
被写体像を撮像するための撮像手段と、前記撮像手段により撮像された画像の画像処理を行う画像処理手段と、前記画像処理手段により処理された画像を表示するための画像表示手段と、予め設定された複数の色の中から１つの特定色をユーザーに選択させるための特定色選択手段と、前記特定色選択手段で選択された特定色に対して前記画像処理手段で色補正を行う色補正手段と、を有し、特定色を選択する際に、スルー画像を前記画像表示手段に表示し、前記特定色選択手段によって１つの特定色が選択されたときには、スルー画像の選択された特定色以外の色を無彩色で表示するように構成したので、ユーザーは、現在見ている被写体の中でどの色の彩度と色相を補正しようとしているのかを容易に認識することが可能となる。
また、本発明の請求項２の撮像装置によれば、前記請求項１に記載の撮像装置において、前記色補正手段が、前記特定色の彩度を補正するので、ユーザーは現在見ている被写体の中でどの色の彩度を補正しようとしているのかを容易に認識することが可能となる。
【００１６】
また、本発明の請求項３の撮像装置によれば、請求項１の撮像装置において、前記色補正手段が、特定色の色相を補正するので、ユーザーは現在見ている被写体の中でどの色の色相を補正しようとしているのかを容易に認識することが可能となる。
また、本発明の請求項４の撮像装置によれば、被写体像を撮像するための撮像手段と、
前記撮像手段により撮像された画像の画像処理を行う画像処理手段と、
前記画像処理手段により処理された画像を表示するための画像表示手段と、
予め設定された複数の色の中から１つの特定色をユーザーに選択させるための特定色選択手段と、
前記特定色選択手段で選択された特定色に対して前記画像処理手段で色補正を行う色補正手段と、
前記特定色選択手段により設定された特定色に対して、前記色補正手段で補正する設定値を予め設定された設定値の中から選択する色補正設定値変更手段と、
を有し、前記色補正設定値変更手段によって色補正設定値が変更されたときには、スルー画像の表示方法を変更することにより、前記色補正設定値変更手段によって色補正設定値が変更されたときには、前記スルー画像の表示方法を変更するので、ユーザーに色補正の変更具合を比較しながら確認させることができて、ユーザーは、意図した色補正を選択することができると共に、両画像における色の違いを容易に認識し、色補正値を変更して正確な色合わせをすることが可能となる。
【００１７】
また、本発明の請求項５の撮像装置によれば、請求項４の撮像装置において、前記スルー画像の表示方法の変更は、該変更前の色補正設定値で処理した前記スルー画像と、該変更後の色補正設定値で処理したスルー画像とを、所定の時間間隔で切り替えを実行するので、やはり、ユーザーは、両画像における色補正の変更具合を比較しながら確認することができて、ユーザーが意図した色補正を選択することを容易に行うことができる。
さらに、本発明の請求項６の撮像装置によれば、請求項４記載の撮像装置において、前記スルー画像の表示方法の変更は、該変更前の色補正設定値で処理した前記スルー画像と、該変更後の色補正設定値で処理したスルー画像とを、並べて表示することで行われるので、これにより、ユーザーは、両画像における色の違いを容易に認識し、色補正値を変更して正確な色合わせをすることが可能となる。
また、本発明の請求項７の撮像装置によれば、複数の色の中からユーザーに１つの特定色を選択させると共に、該選択された１つの特定色の色補正を行うに際して、画像表示手段の画面内の座標を選択し、特定色の色補正モードにおいて選択した領域を、現像して並べられた画像から選択することができるようにしたので、実際の被写体と比べて比較を行うことができ、ユーザーは、色補正を正確に且つ容易に行うことが可能となり、実際の処理を行う上で、スルー画と撮影後の色味の違いによる失敗を防ぐことができる。
【００１８】
また、本発明の請求項８の撮像装置によれば、特定色の色補正を行うに際して、特定色の彩度，色相を補正することができるようにしたので、ユーザーは、彩度，色相の色補正を容易に行うことが可能となる。
また、本発明の請求項９の撮像装置によれば、特定色の判定時に、ある一定の画素範囲を判定対象とし、特定色の判定領域内で所定の画素の画素数が所定の閾値以上である場合に、特定色の判定領域内であると判断するので、ユーザーは、選択した特定色の範囲を逸脱することなく、該特定色の補正を容易に行うことが可能となる。
また、本発明の請求項１０の撮像装置によれば、特定色を判定する際に、該特定色の選択箇所の色を計算して特定色に該当するか否かの判定を行い、選択した特定色に該当しない場合は警告を出すので、ユーザーは、特定色の選択が誤っていたことを容易に知ることができ、ユーザーの操作性の向上を図ることができる。
【００１９】
また、本発明の請求項１１の撮像装置によれば、警告を出した後、判定した特定色が、別の特定色の領域に該当していた場合に、該当した特定色の選択モードに移行することができるので、ユーザーは、必ずしも選択した特定色に拘ることなく、他に効果的な特定色が存在すれば、そちらの特定色に切り替えて該特定色の補正を容易に行うことができ、ユーザーの操作性の向上を図ることができる。
また、本発明の請求項１２の撮像装置によれば、特定色の選択時に、ヘルプモードの場合には、特定色の更新処理を行った後のサンプル画像を表示するので、ユーザーは、更新した後の特定色サンプル画像を確認しながら、大まかなイメージを簡単につかむことができ、該特定色を補正することができ、特に、撮影前に事前に色味の設定を変えておきたい場合など、その場に色がなくても概要を把握することができる。
【００２０】
また、本発明の請求項１３の撮像処理方法によれば、撮像された画像の画像処理を行う画像処理ステップと、前記画像処理ステップを介して処理された画像を表示する画像表示ステップと、予め設定された複数の色の中から１つの特定色をユーザーに選択させるための特定色選択ステップと、前記特定色選択ステップで選択された特定色に対して前記画像処理ステップで色補正を行う色補正ステップと、を有し、前記特定色選択ステップでは、スルー画像を前記画像表示ステップを介して表示すると共に、表示した該スルー画像の複数の色の中から１つの特定色が選択されたときには、前記スルー画像の前記特定色以外の色を無彩色で表示するので、この方法により、ユーザーに、現在見ている被写体の中でどの色の彩度と色相を補正しようとしているのかを容易に認識させることが可能となる。
【００２１】
また、本発明の請求項１４の撮像処理方法によれば、撮像された画像の画像処理を行う画像処理ステップと、
前記画像処理ステップを介して処理された画像を表示する画像表示ステップと、
予め設定された複数の色の中から１つの特定色をユーザーに選択させるための特定色選択ステップと、
前記特定色選択ステップで選択された特定色に対して前記画像処理ステップで色補正を行う色補正ステップと、
前記特定色選択ステップにより設定された特定色に対して、前記色補正ステップで補正する設定値を予め設定された設定値の中から選択する色補正設定値変更ステップと、
を有し、前記色補正設定値変更ステップによって色補正設定値が変更されたときには、スルー画像の表示方法を変更するので、ユーザーが同時に変更前後の色を比較しながら確認することで色の違いを容易に認識し、色補正値を変更して正確な色合わせをすることが可能となる。
【００２２】
また、本発明の請求項１５の撮像処理方法によれば、撮像された画像の画像処理を行う画像処理ステップと、前記画像処理ステップを介して処理された画像を表示する画像表示ステップと、予め設定された複数の色の中から１つの特定色をユーザーに選択させるための特定色選択ステップと、前記特定色選択ステップで選択された特定色に対して前記画像処理ステップで色補正を行う色補正ステップと、画像表示手段の画面内の座標を選択する領域選択手段と、を有し、前記特定色選択ステップでは、特定色の色補正モードにおいて選択した領域を、前記色補正ステップで現像して並べられた画像から選択することができるようにしたので、この方法により、ユーザーは、選択された特定色の色補正を容易且つ正確に行うことができ、スルー画と撮影後の色味の違いによる失敗を防ぐことができる。
【図面の簡単な説明】
【００２３】
【図１】本発明の一つの実施形態に係る撮像装置の外観構成を模式的に示す外観図であり、このうち、図１（ａ）は平面図、図１（ｂ）は正面図、図１（ｃ）は背面図を、それぞれ示すものである。
【図２】本発明の一つの実施形態に係る撮像装置の電子機械的構成を模式的に示すブロック図である。
【図３】本発明の一つの実施形態に係る撮像装置の基本的な画像処理の動作を示すフローチャート図である。
【図４】γ補正処理の入出力特性を説明するグラフ図であり、このうち、図４（ａ）はγ補正の一例を示し、図４（ｂ）は出力装置の入出力特性の一例を示すものである。
【図５】色補正処理で使用するＣｂＣｒ色空間を示す説明図である
【図６】エッジ強調処理の仕組みを示す説明図である。
【図７】本発明の一つの実施形態に係る撮像装置の特定色補正モード選択後の動作を示すフローチャート図である。
【図８】特定色補正モードに入ったときにＬＣＤ画面に表示される選択画面を示した説明図であり、このうち、図８（ａ）は、特定色の選択画面、図８（ｂ）は彩度、色相の選択画面、図８（ｃ）は色相を変更する場合の変更方向の選択画面を、それぞれ示すものである。
【図９】特定色を、色空間上（ＣｂＣｒ空間）の領域で定義することを示す説明図である。
【図１０】スルー画像表示変更サブルーチン１におけるスルー画像表示変更処理の手順を示すフローチャート図である。
【図１１】特定色を、着目画素のＣｂ、Ｃｒの値が特定色の領域に含まれているか否かで判定する方法を示す説明図である。
【図１２】スルー画像表示変更サブルーチン２におけるスルー画像表示変更処理の一例としての手順を示すフローチャート図である。
【図１３】スルー画像を並べて表示する場合の画面レイアウトの一例として示す説明図である。
【図１４】本発明の他の実施形態に係る撮像装置の特定色補正モード選択後の動作を示すフローチャート図である。
【図１５】特定色補正モードに入ったときにＬＣＤ画面に表示される選択画面を示した説明図であり、このうち、図１５（ａ）は特定色の選択画面、図１５（ｂ）は彩度、色相の選択画面、図１５（ｃ）は色相を変更する場合の変更方向の選択画面を、それぞれ示すものである。
【図１６】領域選択処理モードに入ったときにＬＣＤ画面に表示される選択画面を示した説明図であり、このうち、図１６（ａ）は、領域選択画面、図１６（ｂ）は領域選択後の彩度、色相選択画面、図１６（ｃ）は、サンプル画像表示画面を、それぞれ示すものである。
【図１７】測色モードについての詳細な処理手順を示すフローチャート図である。
【図１８】本発明の他の実施形態に係る撮像装置の特定色判定処理の動作を示すフローチャート図である。
【発明を実施するための形態】
【００２４】
本発明の実施形態は、ディジタルカメラの場合で説明するが、本発明は、一般に、本実施形態には限定されず、カメラ機能を備えた携帯情報端末装置のような電子機器や、画像を処理する画像処理ＩＣ、さらには、画像処理ソフトなど、画像処理機能を備えた機器や、その制御ソフトに対して広範囲に適用することができる。
以下、本発明の一実施の形態に基づき、図面を参照して本発明の撮像装置および撮像表示方法を詳細に説明する。
図１は、本発明の一実施形態に係る撮像装置としてのディジタルカメラの外観構成を模式的に示す外観図であり、図１（ａ）は平面図、図１（ｂ）は正面図、図１（ｃ）は裏面図を、それぞれ示すものである。
また、図２は、本発明の実施形態に係る撮像装置の電子機械的構成を模式的に示すブロック図である。
図１および図２は、本発明の各実施の形態が適用される撮像装置としてのディジタルカメラの要部の構成を示している。なお、この撮像装置は、撮像表示装置としての機能を有するものである。
【００２５】
図１に示すように、ディジタルカメラは、カメラ上面に、例えば、撮影可能枚数を表示するためのサブＬＣＤ（サブ液晶ディスプレイ）１、レリーズボタン２、撮影／再生を切り換えるためのモードダイアル４とを有する。
また、カメラ正面には、ストロボ発光部３と、測距ユニット５と、リモコン（リモートコントロール）受光部６と鏡胴ユニット７と、光学ファインダ（正面）１１ａとを有する。さらに、カメラの背面には、ＡＦＬＥＤ（オートフォーカス表示用発光ダイオード）８と、ストロボ表示用ＬＥＤ（ストロボ充電完了等表示用発光ダイオード）９、ＬＣＤモニタ（液晶ディスプレスモニタ）１０、光学ファインダ（背面）１１ｂと、ズームボタン１２と、電源スイッチ１３、操作キー部１４およびメモリカードスロット１２１とを有する。
図１および図２において、ストロボ発光部３、ストロボ回路１１４は、自然光などの光が足りない場合に光量を補う装置である。暗い場所や被写体が暗い場合の撮影においては、後述するカメラプロセッサ１０４からストロボ回路１１４にストロボ発光信号を送信し、ストロボ回路１１４は、ストロボ発光部３を発光させ被写体を明るく照射する。測距ユニット５は、カメラと被写体との距離を測る装置である。現在、ディジタルカメラでは、撮像素子（ＣＣＤ）に形成された像のコントラストを検出し、最もコントラストの高い位置にレンズを移動させてフォーカスを合わせるＣＣＤ−ＡＦ方式が用いられている。
【００２６】
しかし、ＣＣＤ−ＡＦ方式は、レンズを少しずつ動かしコントラストを探していくためフォーカス動作が遅いという問題があり、測距ユニット５を用いて被写体との距離情報を常に取得し、距離情報からレンズを一気に移動してフォーカス動作を高速化している。温度センサ１２４は環境温度を測定する装置で、カメラ内外の温度を測定し、温度が異常に上昇している場合にはカメラの電源を落としたり、温度センサのデータを参照してカメラの制御内容を変更したりする。
また、図２に示す制御系には、サブＬＣＤ１、測距ユニット５、リモコン受光部６、鏡胴ユニット７、ＡＦ表示用ＬＥＤ８、ストロボ表示用ＬＥＤ９およびＬＣＤモニタ１０に加えて、光学画像を光電変換するＣＣＤ１０１（撮像素子）、フロントエンド部１０２、ＳＤＲＡＭ（シンクロナスダイナミックランダムアクセスメモリ）１０３、カメラプロセッサ１０４、ＲＡＭ（ランダムアクセスメモリ）１０７、ＲＯＭ（リードオンリメモリ）１０８、サブＣＰＵ（サブ中央処理部）１０９、操作部１１０、サブＬＣＤドライバ１１１、ブザー１１３、ストロボ回路１１４、音声記録ユニット１１５、音声再生ユニット１１６、ＬＣＤドライバ１１７、ビデオアンプ（ビデオ増幅器）１１８、ビデオコネクタ１１９、内蔵メモリ１２０、メモリカードスロット１２１、ＵＳＢ（ユニバーサルシリアルバス）コネクタ１２２およびシリアルインタフェース部１２３を備えている。
【００２７】
鏡胴ユニット７は、被写体の光学画像を取り込むズームレンズ系７−１ａおよびズームモータ７−１ｂを含むズーム光学系７−１、フォーカスレンズ系７−２ａおよびフォーカスモータ７−２ｂを含むフォーカス光学系７−２、絞り７−３ａおよび絞りモータ７−３ｂを含む絞りユニット７−３、メカシャッタ７−４ａおよびメカシャッタモータ７−４ｂを含むメカシャッタユニット７−４、並びに各モータを駆動するモータドライバ７−５を有している。
フロントエンド部１０２は、画像ノイズ除去用相関二重サンプリングを行うＣＤＳ（相関２重サンプリング部）１０２−１、ＡＧＣ（自動利得制御部）１０２−２、Ａ／Ｄ（アナログ−ディジタル）変換部１０２−３およびＴＧ（タイミングジェネレータ）１０２−４を有している。
【００２８】
カメラプロセッサ１０４は、Ｆ／Ｅ−ＩＣ１０２の出力データにホワイトバランス設定やガンマ設定を行い、またＶＤ信号、ＨＤ信号を供給するＣＣＤ１信号処理ブロック１０４−１、フィルタリング処理により、輝度データ、色相データへの変換を行うＣＣＤ２信号処理ブロック１０４−２、装置各部の動作を制御するＣＰＵ（中央処理部）ブロック１０４−３、前述した制御に必要なデータ等を、一時的に保存するローカルＳＲＡＭ（ローカルスタティックランダムアクセスメモリ）１０４−４、パソコンなどの外部機器とＵＳＢ通信を行うＵＳＢ処理ブロック１０４−５、外部機器とシリアル通信を行うシリアル処理ブロック１０４−６、ＪＰＥＧ圧縮の伸長を行うＪＰＥＧコーデック（ＣＯＤＥＣ）ブロック１０４−７、画像データのサイズを補間処理により拡大／縮小するリサイズ（ＲＥＳＩＺＥ）ブロック１０４−８、画像データを液晶モニタやＴＶなどの外部表示機器に表示するためのビデオ信号に変換するＴＶ信号表示ブロック１０４−９および撮影された画像データを記録するメモリカードの制御を行うメモリカードコントローラブロック１０４−１０を有している。
【００２９】
操作キーユニット１１０は、図１に示すレリーズボタン２、モードダイアル４、ズームボタン１２、電源スイッチ１３および操作キー部１４を含んでいる。
音声記録ユニット１１５は、音声記録回路１１５−１、マイクアンプ１１５−２およびマイク（マイクロフォン）１１５−３を有しており、音声再生ユニット１１６は、音声再生回路１１６−１、オーディオアンプ（オーディオ増幅器）１１６−２およびスピーカ１１６−３を有している。シリアルインタフェース部１２３は、シリアルドライバ回路１２３−１およびシリアルコネクタ１２３−２を有している。
サブＬＣＤ１、レリーズボタン２およびモードダイアルは、カメラボディの上面に配置されている。サブＬＣＤ１は、例えば、撮影可能枚数等を表示するための表示部として用いられる。また、ストロボ発光部３、測距ユニット５、リモコン受光部６、鏡胴ユニット７および光学ファインダ１１の対物面側１１ａ＋は、カメラボディＣＢの正面側に配置されている。メモリカードを装填するためのメモリカード装填部１５は、カメラボディの物体（被写体）側から見て左側面に配設されている。このメモリカード装填部１５の内部にメモリカードスロット１２１が設けられていて、このメモリカードスロット１２１にメモリカードを挿入することによってメモリカードを装填する。さらに、ＡＦ表示用ＬＥＤ８、ストロボ表示用ＬＥＤ９、ＬＣＤモニタ１０、光学ファインダ１１の接眼部側１１ｂ、ズームボタン１２、電源スイッチ１３および操作キー部１４は、カメラボディの背面側に配置されている。
【００３０】
次に、図１および図２を参照してディジタルカメラの基本的な動作を説明する。図１および図２において、ストロボ発光部３およびストロボ回路１１４は、被写体における自然光等の光量が足りない場合に光量を補うために用いる。即ち、暗い場所の撮影や被写体が暗い場合の撮影には、カメラプロセッサ１０４からストロボ回路１１４にストロボ発光信号を送信することによって、ストロボ回路１１４は、ストロボ発光部３を発光させて被写体を照明する。測距ユニット５は、カメラ本体と被写体との間の距離、つまり被写体距離、を計測する。この種のディジタルカメラにおけるオートフォーカシング（ＡＦ）には、鏡胴ユニット７の光学系によってＣＣＤ１０１に結像された被写体像のコントラスト情報を検出し、最もコントラスト値の高い位置に光学系、即ちフォーカスレンズ７−２ａを移動させてフォーカスを合わせる、いわゆるＣＣＤ−ＡＦ方式が用いられる。しかしながら、このＣＣＤ−ＡＦ方式は、フォーカスレンズ７−２ａを少しずつ移動させつつコントラスト値を求めるため、フォーカシング動作が遅い。そこで、測距ユニット５を用いて、被写体距離情報を常に取得し、被写体距離情報に基づいて、被写体距離近傍に対応する位置までフォーカスレンズ７−２ａを一気に移動させて、フォーカス動作を高速化するようにすることも行われている。
【００３１】
鏡胴ユニット７は、被写体の光学像を取り込みＣＣＤ１０１に結像する撮像光学系における焦点距離を変更させるためのズームレンズ７−１ａおよびこのズームレンズ７−１ａを駆動するズームモータ７−１ｂを含むズーム光学系７−１と、撮像光学系における合焦点を移動させるためのフォーカスレンズ７−２ａおよびこのフォーカスレンズ７−２ａを駆動するフォーカスモータ７−２ｂを含むフォーカス光学系７−２と、撮像光学系における開口口径を絞るための絞り７−３ａおよびこの絞り７−３ａを駆動する絞りモータ７−３ｂを含む絞りユニット７−３と、撮像光学系の光路を機械的に開閉するメカニカルシャッタからなるメカシャッタ７−４ａおよびこのメカシャッタ７−４ａを開閉駆動するメカシャッタモータ７−４ｂを含むメカシャッタユニット７−４と、各モータ７−１ｂ〜７−４ｂを駆動するモータドライバ７−５とを有している。そして、モータドライバ７−５は、リモコン受光部６からの入力や操作キーユニット１１０の操作入力に基づく、カメラプロセッサ１０４内のＣＰＵブロック１０４−３からの駆動指令によって駆動制御される。
ＲＯＭ１０８には、ＣＰＵブロック１０４−３にて解読可能なプログラムコードで記述された、制御プログラムや制御するためのパラメータ等が格納されている。操作部１１０の電源スイッチ１３の操作によって、このディジタルカメラの電源がオン状態になると、制御プログラムがＣＰＵブロック１０４−３に付随する図示されていないメインメモリにロードされ、ＣＰＵブロック１０４−３は、その制御プログラムに従って装置各部の動作を制御するとともに、制御に必要なデータ等を、一時的に、ＲＡＭ１０７およびカメラプロセッサ１０４内のローカルＳＲＡＭ１０４−４に保存する。
【００３２】
ＲＯＭ１０８を、書き換え可能なフラッシュメモリを用いて構成すれば、制御プログラムや制御するためのパラメータ等を変更することが可能となり、機能のバージョンアップを容易に行うことができる。
ＣＣＤ１０１は、典型的には、ＣＣＤ（電荷結合素子）の撮像素子またはＣＭＯＳ（相補型金属酸化物半導体）撮像素子等の固体撮像素子を用いて構成され、光学像を光電変換して電子的な画像信号に変換する。
フロントエンド部１０２は、ＣＤＳ１０２−１、ＡＧＣ１０２−２、Ａ／Ｄ変換部１０２−３およびＴＧ１０２−４を有し、これら各部は、カメラプロセッサ１０４のＣＰＵブロック１０４−３によって制御される。ＣＤＳ１０２−１では、ＣＣＤ１０１より得られた画像信号の相関二重サンプリングを行って画像ノイズを除去し、ＡＧＣ１０２−２では、画像ノイズが除去された画像信号の利得調整を行い、Ａ／Ｄ変換部１０２−３では、利得調整された画像信号をＡ／Ｄ変換（アナログ−ディジタル変換）によりディジタル信号に変換して、カメラプロセッサ１０４の第１の撮像信号処理ブロック１０４−１に与える。
【００３３】
これらＣＤＳ１０２−１、ＡＧＣ１０２−２、Ａ／Ｄ変換部１０２−３の信号処理動作は、カメラプロセッサ１０４のＣＣＤ１信号処理ブロック１０４−１から出力されるＶＤ・ＨＤ（垂直駆動・水平駆動）信号により、ＴＧ１０２−４を介して制御される。ＴＧ１０２−４は、ＣＣＤ１信号処理ブロック１０４−１から出力されるＶＤ・ＨＤ信号に応動して、フロントエンド部１０２のＣＤＳ１０２−１、ＡＧＣ１０２−２およびＡ／Ｄ変換部１０２−３に駆動タイミング信号を与えるとともに、ＣＣＤ１０１に駆動タイミング信号を与える。この場合、フロントエンド部１０２は、ＣＤＳ１０２−１、ＡＧＣ１０２−２、Ａ／Ｄ変換部１０２−３およびＴＧ１０２−４を同一ＩＣ（集積回路）チップ上に実装して、フロントエンドＩＣとして構成したものを用いることが望ましいが、個別回路で構成してもよい。
カメラプロセッサ１０４のＣＣＤ１信号処理ブロック１０４−１は、上述したようにフロントエンド部１０２のＴＧ１０２−４にＶＤ信号およびＨＤ信号を供給するとともに、ＣＣＤ１０１からフロントエンド部１０２を介して与えられたディジタル撮像信号データに対してホワイトバランス調整およびガンマ調整等の信号処理を行う。カメラプロセッサ１０４のＣＣＤ２信号処理ブロック１０４−２は、ディジタル撮像信号データに対してフィルタリング処理を施すことによって、原ＲＧＢ（ＲＡＷ−ＲＧＢ）データから輝度および色差データ、即ちＹＵＶ（ＹＣｂＣｒ）データ、等への変換を行う。
【００３４】
カメラプロセッサ１０４のＣＰＵブロック１０４−３は、当該カメラ内各部の動作を適正に制御する。カメラプロセッサ１０４のローカルＳＲＡＭ１０４−４は、上述したように、ＣＰＵブロック１０４−３による制御に必要なデータ等を、一時的に保存する。
さらに、カメラプロセッサ１０４において、ＵＳＢ処理ブロック１０４−５は、ＵＳＢ規格に従ってＰＣ（パーソナルコンピュータ）等の外部機器と接続し、外部機器との間で通信を行うためのＵＳＢ信号処理を行い、シリアルブロック１０４−６は、ＲＳ−２３２Ｃ等のシリアル通信規格に従ってＰＣ等の外部機器と接続し、外部機器との間で通信を行うためのシリアル信号処理を行い、ＪＰＥＧコーデックブロック１０４−７は、画像データに対するＪＰＥＧ圧縮／伸張を行い、リサイズブロック１０４−８は、外挿／内挿等の補間処理により画像データのサイズを拡大／縮小し、ビデオ信号表示ブロック１０４−９は、画像データをＬＣＤモニタ１０やＴＶ等の外部表示機器に表示するためのビデオ信号に変換し、メモリカードコントローラブロック１０４−１０は、メモリカード装填部１５内のメモリカードスロット１２１に装填された例えば、メモリカード、ＬＡＮカード、無線ＬＡＮカード、ブルートゥースカード等（以下、単に「メモリカード」という）１２４に、撮影された撮像画像データを記録し、メモリカード１２４に記録された撮像画像データを再生するためのメモリカード１２４の書き込み／読み出し制御を行う。
【００３５】
ＳＤＲＡＭ１０３は、カメラプロセッサ１０４において画像データに各種の処理を施す際に、画像データを一時的に保存するために用いられる。保存される画像データは、例えば、ＣＣＤ１０１からフロントエンド部１０２を介して取り込んだ画像データに、ＣＣＤ１信号処理ブロック１０４−１にてホワイトバランス調整およびガンマ調整が行われた状態の原ＲＧＢ画像データ（ＲＡＷ−ＲＧＢ画像データ）や、同様にして取り込んだ画像データがＣＣＤ２信号処理ブロック１０４−２にて輝度データ（Ｙ）と色差データ（Ｕ（Ｃｂ），Ｖ（Ｃｒ））に変換された状態のＹＵＶ（ＹＣｂＣｒ）画像データや、ＪＰＥＧコーデックブロック１０４−７にて、ＪＰＥＧ圧縮エンコードされたＪＰＥＧ画像データなどである。
メモリカードスロット１２１は、撮影した画像データを記憶するためのメモリカード１２４を着脱可能に装填するためのコネクタスロットであり、このメモリカードスロット１２１に装填されたメモリカード１２４の書き込み／読み出し制御は、メモリカードスロット１２１を介してメモリカードコントローラブロック１０４−１０によって行われる。内蔵メモリ１２０は、撮影した画像データを記憶するためのメモリであり、メモリカードスロット１２１にメモリカード１２４が装着されていない場合であっても、撮影した画像データを記憶することができるようにするために設けられている。
【００３６】
ＬＣＤドライバ１１７は、ＬＣＤモニタ１０を駆動するドライブ回路であり、ビデオ信号表示ブロック１０４−９から出力されたビデオ信号を、ＬＣＤモニタ１０に表示するための信号に変換する機能をも有している。ＬＣＤモニタ１０は、撮影前に被写体の状態を監視するための画像表示、撮影した画像を確認するための撮像画像表示、そしてメモリカード１２４や内蔵メモリ１２０に記録された画像データの表示、などを行うためのモニタである。
ビデオアンプ１１８は、ビデオ信号表示ブロック１０４−９から出力されたビデオ信号を、７５Ωインピーダンス出力にインピーダンス変換する。ビデオコネクタ１１９は、ビデオアンプ１１８の７５Ωインピーダンス出力をＴＶ等の外部表示機器に接続するためのコネクタである。
ＵＳＢコネクタ１２２は、ＰＣ等の外部機器との間をＵＳＢ接続するためのコネクタである。シリアルドライバ回路１２３−１およびシリアルコネクタ１２３−２を備えるシリアルインタフェース部１２３は、標準化されたシリアル通信規格、例えばＲＳ−２３２Ｃ規格等、に従ってＰＣ等の外部機器との間でシリアル通信を行うためのインタフェースを構成している。シリアルドライバ回路１２３−１は、シリアル処理ブロック１０４−６の出力信号を電圧変換する回路であり、シリアルコネクタ１２３−２は、シリアルドライバ回路１２３−１で電圧変換されたシリアル出力をＰＣ等の外部機器に接続するためのコネクタである。
【００３７】
サブＣＰＵ１０９は、例えば同一チップ上にＲＯＭ・ＲＡＭを内蔵したマイクロプロセッサ等のＣＰＵであり、操作部１１０やリモコン受光部６等の出力信号をユーザーの操作情報として、カメラプロセッサ１０４のＣＰＵブロック１０４−３に与えたり、ＣＰＵブロック１０４−３から出力されるカメラの状態情報に基づいて、サブＬＣＤ１、ＡＦ表示用ＬＥＤ８、ストロボ表示用ＬＥＤ９およびブザー１１３に制御信号を供給したりする。  サブＬＣＤ１は、例えば、撮影可能枚数等を表示するための表示部であり、サブＬＣＤドライバ１１１は、サブＣＰＵ１０９の出力信号に基づいてサブＬＣＤ１を駆動する回路である。ＡＦ表示用ＬＥＤ８は、撮影時の合焦状態を表示するためのＬＥＤであり、ストロボ表示用ＬＥＤ９は、ストロボ発光用コンデンサの充電が完了して発光可能となっているか否か等の発光準備状態を表示するためのＬＥＤである。なお、これらＡＦ表示用ＬＥＤ８とストロボ表示用ＬＥＤ９とを、他の表示用途、例えば、メモリカード１２４のアクセス中を示す表示に使用するなどしても良い。
操作キーユニット１１０は、ユーザーが操作する操作キー、操作スイッチおよび操作ボタン等であり、この場合、レリーズボタン２、撮影／再生切り換えダイアル４、ズームボタン１２、電源スイッチ１３および操作キー部１４等を含んでいる。リモコン受光部６は、ユーザーが操作するリモコン送信機（図示していない）からの赤外線のような光信号を受信する。
【００３８】
音声記録ユニット１１５は、マイク１１５−３により、ユーザーが音声信号を入力し、マイク１１５−３に入力された音声信号をマイクアンプ１１５−２で増幅し、マイクアンプ１１５−２で増幅された音声信号を音声記録回路１１５―１で記録する。また、音声再生ユニット１１６は、記録された音声信号を、音声再生回路１１６−１により、スピーカから出力再生するための信号に変換し、音声再生回路１１６−１で変換された音声信号をオーディオアンプ１１６−２により増幅して、オーディオアンプ１１６−２で増幅された信号により、スピーカ１１６−３を駆動して音声信号を音声出力する。
なお、さらに、ブルートゥース（Bluetooth（登録商標））回路（図示は省略）を設けて、ブルートゥース規格による無線通信を介して接続される、いわゆるブルートゥース機器への接続を行うようにしても良い。あるいは、ブルートゥース（Bluetooth（登録商標））回路がない場合には、メモリカードスロット１２１にブルートゥース（Bluetooth（登録商標））規格のインタフェース機能を有するブルートゥース（Bluetooth（登録商標））カードを装填することによっても、他のブルートゥース（Bluetooth（登録商標））機器と接続し通信することができる。イーサーネットによるＬＡＮ（ローカルエリアネットワーク）への接続は、イーサーネット接続回路（図示せず）または無線イーサーネット接続回路（図示せず）によって行うことができる。あるいは、これらのイーサーネット回路がない場合は、ＬＡＮカードまたは無線ＬＡＮカードを、メモリカードスロット１２１に装填して、ＬＡＮカードまたは無線ＬＡＮカードを介してネットワークへ接続することが可能となる。
【００３９】
図３は、本発明の一つの実施形態に係る撮像装置の基本的な画像処理の動作を示すフローチャート図である。
以下、図１，２を参照しながら、図３に示すフローチャートを使用して、本実施形態に係る撮像装置の基本的な画像処理の動作について説明する。
なお、図３に示す画像処理は、図２に示すＣＣＤ１信号処理ブロック（１０４−１）およびＣＣＤ２信号処理ブロック（１０４−２）のいずれかによって実行されるものである。
また、ＣＣＤ（１０１）から出力される信号を１画素毎にサンプリングし、Ａ／Ｄ変換したものは、画像処理されていない段階であるため、一般的にＲＡＷデータと呼ばれているが、ここで、図２に示すＣＣＤ１信号処理ブロック（１０４−１）およびＣＣＤ２信号処理ブロック（１０４−２）の画像処理部（図示は省略）に入力されるデータは、このＲＡＷデータである。
【００４０】
（ステップＳ１）
まず、ステップＳ１では、ホワイトバランス（ＷＢ）処理を行う。
被写体からの光量を蓄積するＣＣＤのフォトダイオード上には、１画素１画素にＲＥＤ、ＧＲＥＥＮ、ＢＬＵＥのいずれか１色のカラーフィルタが貼付されているが、フィルタの色によって透過する光量が変わってくるため、フォトダイオードに蓄積される電荷量も画素に貼付されたカラーフィルタの種類によって異なっている。最も感度が高いのはＧＲＥＥＮで、ＲＥＤとＢＬＵＥは、ＧＲＥＥＮと比較すると感度が低く約半分程度である。ホワイトバランス（ＷＢ）処理では、これらの感度差を補い、撮影画像の中の白色を白く見せるために、ＲとＢにゲインを掛ける処理を行う。また、物の色は光源色（例えば、太陽光、蛍光灯など）によって変わってくるため、光源が変わっても白色を白く見せるようにＲとＢのゲインを変更し、制御する機能を有している。
（ステップＳ２）
次に、ステップＳ２では、ガンマ（γ）補正処理を行う。
因に、図４は、γ補正処理の入出力特性を説明するグラフ図であり、このうち、図４（ａ）は、γ補正曲線の一例を示し、図４（ｂ）は、出力装置の入出力特性の一例を示すものである。
【００４１】
図４では、横軸に入力信号、縦軸に出力信号を示しており、非線形な入出力変換を行う。一般に、ＬＣＤやＣＲＴなどの出力装置では、図４（ｂ）に示すように入力に対して出力は非線形な特性で出力される。このような非線形な出力の場合、明るさに階調性が無く、また、画像が暗くなるため、撮影者は正しく画像を見ることができない。そこで、出力装置の特性を考慮して、出力が線形性を保つように予め入力信号に補正処理を行うのがガンマ補正処理である。
（ステップＳ３）
次に、図３におけるステップＳ３では、補間処理を行う。
ＣＣＤ１０１にはベイヤ配列と呼ばれる配列で、１画素にＲＥＤ、ＧＲＥＥＮ、ＢＬＵＥのいずれか１色のカラーフィルタが貼付されており、ＲＡＷデータは、１画素に１色の情報しか有していない。しかし、ＲＡＷデータから画像として見るためには、１画素にＲＥＤ、ＧＲＥＥＮ、ＢＬＵＥの３色の情報が必要であり、足りない２色を補うために周辺の画素から補間する補間処理を行う。
【００４２】
（ステップＳ４）
次に、ステップＳ４では、ＹＣｂＣｒ変換処理を行う。
ＲＡＷデータの段階では、ＲＥＤ、ＧＲＥＥＮ、ＢＬＵＥの３色によるＲＧＢデータ形式であるが、ＹＣｂＣｒ変換では、輝度信号Ｙと色差信号ＣｂＣｒのＹＣｂＣｒデータ形式に変換を行う。ディジタルカメラ等で一般的に用いられるファイル形式のＪＰＥＧ画像では、ＹＣｂＣｒデータから画像が作成されるため、ＲＧＢデータをＹＣｂＣｒデータに変換する。変換式は、以下の通りである。
Ｙ    ＝  0.299 ×Ｒ    ＋  0.587 ×Ｇ  ＋  0.114 ×Ｂ
Ｃｂ  ＝  −0.299 ×Ｒ  −  0.587 ×Ｇ  ＋  0.886 ×Ｂ
Ｃｒ  ＝  0.701 ×Ｒ    −  0.587 ×Ｇ  −  0.114 ×Ｂ
（ステップＳ５）
次に、ステップＳ５では、色補正処理を行う。
色補正では、彩度設定、色相設定、部分的な色相変更設定、色抑圧設定などある。彩度設定は、色の濃さを決定するパラメータ設定であり、図５は、ＣｂＣｒ色空間を示すものであるが、例えば、第２象限でＲＥＤの色に対して原点からＲＥＤのドットまでのベクトルの長さが長い程色の濃さは濃くなる。次に、色相設定では、色合いを決定するパラメータである。
【００４３】
例えば、図５に示す第３象限でＧＲＥＥＮの色に対してベクトルの長さが同じであってもベクトルの向きが異なると色合いは変わってくる。部分的な色相変更設定では、図５に示す第４象限に示すように部分的な色領域を回転させる設定である。彩度が強いと色が濃くなる一方で色ノイズが強くなる傾向にある。そこで色抑圧設定では、例えば輝度信号に対してしきい値（閾値）を設け、しきい値よりも低い又は高い領域に対して彩度を抑えることにより色ノイズを抑える制御を行う。
（ステップＳ６）
次に、ステップＳ６では、エッジ強調処理を行う。
エッジ強調処理とは、図６に示すように画像の輝度（Ｙ）信号からエッジ部分を抽出するエッジ抽出フィルタ部と、エッジ抽出フィルタにより抽出されたエッジに対してゲインを掛けるゲイン乗算部と、エッジ抽出と並行して画像のノイズを除去するローパスフィルタ（ＬＰＦ）部と、ゲイン乗算後のエッジ抽出データとＬＰＦ処理後の画像データを加算する加算部とから成る処理である。エッジの強弱は、ゲイン乗算部のゲインによって決まり、ゲインが大きい場合にはエッジが強くなり、ゲインが小さい場合にはエッジが弱くなる。
【００４４】
また、エッジ抽出フィルタのフィルタ係数によってもエッジの検出方向やエッジの抽出量が変わるため、これらも重要なパラメータである。ＬＰＦのフィルタ係数では、画像を平滑化させて画像のノイズを減らしているが、ＬＰＦを強く掛けるとノイズは少なくなるが、一方で平滑化により細かな部分が潰れてしまい解像度が失われる傾向にある。
なお、画像処理には、図３に示す処理の他にも、図２に示したような保存する画像サイズに変更するリサイズ処理や、情報量を圧縮するＪＰＥＧ圧縮処理などが有る。
図７は、本発明の実施形態に係る撮像装置の特定色補正モード選択後の動作を示すフローチャート図である。
なお、特定色補正モードとは、特定の色に対して色相、彩度を補正することができるモードのことである。
以下、図１，２を参照しながら、図７に示すフローチャートを使用して、本実施形態に係る撮像装置の特定色補正モード選択後の動作を説明する。
（ステップＳ１１）
まず、ステップＳ１１では、特定色補正モードに入った場合の処理、即ち、特定色の選択処理を行う。
【００４５】
図８は、特定色補正モードに入ったときにＬＣＤ画面に表示される選択画面を示した説明図であり、このうち、図８（ａ）は特定色の選択画面、図８（ｂ）は彩度、色相の選択画面、図８（ｃ）は色相を変更する場合の変更方向の選択画面を、それぞれ示すものである。
例えば、図８（ａ）に示す特定色の選択画面では、画面左側のレッド、グリーン、ブルー、シアン、マゼンタおよびイエローが表示されているが、これらは予め設定されている特定色である。画面右側にはスルー画像表示領域があり、スルー画像が表示されている。画面下側には、彩度と色相を選択する選択領域と色補正値を変更するスライダー１３０が設けられている。なお、予め設定されている特定色については、図９に示すように色空間上（図９ではＣｂＣｒ空間）で領域を区切って定義をしておくものとする。図９ではどの色相でも領域幅は全て等しいが、例えばブルーの選択は広げるなど、色相によって選択範囲を変更してもよい。
【００４６】
（ステップＳ１２）
まず、ステップＳ１２では、ユーザーが特定色を選択することを要求しているか否かを検証し、ユーザーが特定色を選択することを要求している場合は、ユーザーに該要求を許可することを伝えた後、ステップＳ１３に進む。他方、ユーザーが特定色を選択することを要求していない場合はステップＳ１７に移る。
なお、特定色を選択したいユーザーは、操作キーユニット１１０を操作して、表示された特定色の中から補正したい色を選択する。１度に選択できる特定色は１色であり、１つの特定色が選択されると、該選択がなされたことが分かるように、他の色と異なる表示にする（図８（ａ）ではグリーンが選択されていることを示している）。
（ステップＳ１３）
ステップＳ１３では、ユーザーが操作キーユニット１１０を操作して、表示された特定色の中から特定色を選択した後、図８（ａ）の右側に表示しているスルー画像の表示方法を、さらに変更するため、スルー画像表示変更サブルーチン１（後述の図１０参照）を実行する。
【００４７】
（ステップＳ１４）
ステップＳ１４では、ユーザーが特定色の変更を要求しているか否かを検証し、ユーザーが特定色の変更を要求している場合はユーザーに該要求を許可することを伝えた後、ステップＳ１５に進む。他方、ユーザーが特定色の変更を要求していない場合はステップＳ１２に戻る。
なお、特定色を変更したいユーザーは、操作キーユニット１１０を操作して、表示された特定色の中から異なる特定色を選択することで特定色を変更することができる。
（ステップＳ１５）
次に、ステップＳ１５では、ユーザーが色補正設定処理として、色補正設定値変更を要求しているか否かを検証し、ユーザーが色補正設定値変更を要求している場合は、ユーザーに該要求を許可することを伝えた後、ステップＳ１６に進む。他方、ユーザーが特定色を選択することを要求していない場合はステップＳ１９に移る。
なお、色補正設定値変更を行いたいユーザーは、操作キーユニット１１０を操作して、色補正設定値変更を行う。この色補正設定値の変更方法は、図８（ｂ）に示すように、彩度と色相の項目を選択し、スライダー１３０を移動させて行う。
【００４８】
より具体的には、操作キーユニット１１０を操作して彩度又は色相を選択し、スライダー１３０を左右に動かすことで選択した項目の設定値が変更されるようにする。彩度を選択しスライダー１３０を右側に動かした場合には彩度を濃くし、左側に動かした場合には彩度を薄くする。一方、色相を選択しスライダー１３０を右側に動かした場合には、図８（ｃ）で示すような色相環としたとき、時計回り方向に色相を回転させ、左側に動かした場合には、反時計回り方向に色相を回転させるようにする。スライダー１３０は複数ステップ設けて段階的にスライドさせるようにしてもよいし、このようなステップは設けずに、滑らかにスライドするようにしてもよい。色補正設定値が変更されると、ステップＳ１６に進む。
（ステップＳ１６）
ステップＳ１６では、再びスルー画像表示変更サブルーチン２（後述の図１２参照）を実行する。
（ステップＳ１７）
ステップＳ１７では、特定色補正モードが終了したか否かを検証し、特定色補正モードが終了しているとステップＳ１８に進み、特定色補正モードが終了していないとステップＳ１２に戻る。
【００４９】
（ステップＳ１８）
ステップＳ１８では、特定色補正モードの後始末処理を実行した後、処理を終了する。
（ステップＳ１９）
ステップＳ１９では、色補正設定処理がキャンセルされたか否かを検証し、色補正設定処理がキャンセルされた場合はステップＳ１７に進み、色補正設定処理がキャンセルされていない場合はステップＳ１５に戻る。
図１０は、スルー画像表示変更サブルーチン１におけるスルー画像表示変更処理の手順を示すフローチャート図である。
（ステップＳ２１）
まず、ステップＳ２１では、特定色が選択されたか否かの判定処理を行う。即ち、前述のスルー画像で着目画素が特定色であるか否かの判定を行う。
（ステップＳ２２）
次に、ステップＳ２２では、特定色が選択されたか否かを検証し、特定色が選択されていない場合はステップＳ２３に進む。他方、特定色が選択されている場合はステップＳ２４に移る（即ち、この特定色判定は１画素毎に行われる）。ここで、特定色が選択されたか否かの判定は、図１１に示すように、着目画素のＣｂ、Ｃｒの値が特定色の領域に含まれているか否かで判定する。
【００５０】
（ステップＳ２３）
ステップＳ２３では、特定色が選択されていない（即ち無彩色表示）場合として、ＣｂとＣｒの値を０に修正した後、ステップＳ２４に進む。
（ステップＳ２４）
ステップＳ２４では、全ての画素について特定色の選択処理が完了したか否かを検証し、全ての画素について特定色の選択処理が完了した場合は処理を終了し、未だ特定色の選択処理が終了していない画素が存在する場合はステップＳ２１に戻る。
上記の処理により、着目画素が特定色である場合は、そのままのＣｂ、Ｃｒが、ＬＣＤドライバやビデオＡＭＰへ出力されることになる。また、スルー画像の全ての画素に対して同様の処理が行われる。ここでは、特定色ではＹ、Ｃｂ、Ｃｒの情報がそのままであるため通常の色状態で表示され、特定色以外では、Ｙのみ元の情報でＣｂ、Ｃｒは０であるためモノクロ状態で表示される。スルー画像の全てで色が無い場合には、選択した特定色が画面内に無いことを示している。
【００５１】
図１２は、スルー画像表示変更サブルーチン２におけるスルー画像表示変更処理の一例としての手順を示すフローチャート図である。
図１２に示す一例では、スルー画像表示変更（色補正値の変更）を、所定時間間隔で切り替える方法で行う場合を示している。
ここでは、スルー画像を変更表示する処理の一実施例として、所定時間毎にスルー画像の色補正値を変更前と変更後で変更して表示する処理を示している。
スライダー位置を変更して色補正値を変更したときには所定時間だけ変更した色補正値で処理したスルー画像を表示する。所定時間が経過するまでは変更後の色補正値でスルー画像を処理し表示を続け、所定時間が経過したら、スライダー１３０を変更する前の色補正値で処理したスルー画像を表示するようにする。この所定時間については、メーカ側が固定時間で設定してもよいし、別途所定時間を設定するモードを準備しユーザーが自由に変更できるようにしてもよい。
（ステップＳ３１）
まず、ステップＳ３１では、変更前の設定画像の処理を行う。
【００５２】
（ステップＳ３２）
次に、ステップＳ３２では、所与の画像の設定前のスルー画像を表示する。
（ステップＳ３３）
次に、ステップＳ３３では、ユーザーが特定色補正をキャンセルしたか否かを検証し、ユーザーが特定色補正をキャンセルした場合はステップＳ４２に移り、他方、ユーザーが特定色補正をキャンセルしていない場合はステップＳ３４に進む。
（ステップＳ３４）
ステップＳ３４では、設定画面のスライダー１３０が移動されたか否かを検証し、設定画面のスライダー１３０が移動されていない場合はステップＳ３３に戻り、他方、設定画面のスライダー１３０が移動された場合はステップＳ３５に進む。
尚、スライダー１３０は、複数ステップ設けて、段階的にスライドさせるようにしてもよいし、ステップは設けず、滑らかにスライドするようにしてもよい。
（ステップＳ３５）
ステップＳ３５では、変更後の設定画像の処理を行う。
（ステップＳ３６）
次に、ステップＳ３６では、所与の画像の設定変更後のスルー画像を表示する。
【００５３】
（ステップＳ３７）
次に、ステップＳ３７では、所与の画像の設定変更後に、予め設定された所定の時間が経過したか否かを検証し、予め設定された所定の時間が経過していない場合はステップＳ３５に戻り、他方、予め設定された所定の時間が経過している場合はステップＳ３８に進む。
（ステップＳ３８）
ステップＳ３８では、変更前の設定画像の処理を行う。
（ステップＳ３９）
次に、ステップＳ３９では、所与の画像の変更前のスルー画像を表示する。
（ステップＳ４０）
次に、ステップＳ４０では、変更前の設定画像を処理してから、予め設定された所定の時間が経過したか否かを検証し、予め設定された所定の時間が経過していない場合はステップＳ３８に戻り、他方、予め設定された所定の時間が経過している場合はステップＳ４１に進む。
【００５４】
（ステップＳ４１）
ステップＳ４１では、設定画面の「決定」が選択されたか否かを検証し、設定画面の「決定」が選択されていない場合はステップＳ３５に戻り、他方、設定画面の「決定」が選択された場合はステップＳ４２に進む。
（ステップＳ４２）
ステップＳ４２では、変更後の設定画像の処理を行う。
（ステップＳ４３）
次に、ステップＳ４３では、所与の画像の設定変更後のスルー画像を表示し、処理を終了する。
以上の動作を纏めて説明すると、図１２に示すフローチャート図は、所定時間間隔でスルー画像の画像処理を色補正設定値の変更前と変更後で変更して表示する場合の動作を示しており、スライダー１３０が移動される前は、スルー画像は現状の色補正値（変更前）で画像処理がされて出力される。キャンセルか、もしくはスライダー１３０が移動されない限りは、スルー画像は同じ設定値で処理されて表示される。
【００５５】
他方、スライダー１３０が移動されると、スライダー位置に対応した色補正値（変更後）を使用してスルー画像を処理し、表示する。所定時間が経過するまでは変更後の色補正値でスルー画像を処理し、該表示を継続し、前記の所定時間が経過すると、変更前の色補正値でスルー画像を処理して表示する。その後も、前記の所定時間が経過するまでは変更前の色補正値でスルー画像を処理し表示を継続する。決定が選択されるまでは、変更前と変更後の色補正値のスルー画像が所定時間間隔で切り替わって表示される。決定が選択されると、変更後の色補正値でスルー画像を表示する。
図１３は、スルー画像を並べて表示する場合の画面レイアウトを一例として示す説明図である。
同図の左側に現在の色補正値で処理したスルー画像を表示し、また、同図の右側に変更後の色補正値で補正した処理したスルー画像を表示している。
スルー画像表示部分を２画面に変更するタイミングは、彩度と色相のいずれかが選択されたタイミングとし、このタイミングで画面を切り替える。スライドバー１３０が移動されていない状態では、図１３の左側と右側とで、同じ現在の色補正値で処理したスルー画像を表示する。スライダーが移動されたときには、右側だけ変更された色補正値で処理したスルー画像を表示するようにする。決定が選択された場合には、１画面表示に戻り変更後の色補正値でスルー画像を表示する。キャンセルが選択された場合には、１画面表示に戻り、変更前の色補正値でスルー画像を表示する。
【００５６】
以上で特定色の色補正設定が完了するが、この特定色補正モードを抜け出るには、予め操作キーユニット１１０に、モード終了の指定を別途割り当てておき、該指定を選択するなどの方法が好ましい。上記の特定色補正モードで特定色の色補正を設定した後は、静止画撮影の場合、該設定した色補正値で撮影される。
なお、一般に、ディジタルカメラでは、パソコンで後処理できるという利点があるが、忠実に色を再現させようと思っても撮影時の被写体色を正確に記憶して後からパソコン処理することは難しい。一番忠実に色を再現させる方法は、撮影時に被写体を目の前にして正しい色設定で撮影して撮影画像と被写体が同じ色であるかどうかを確認することである。そのためには、実際の色合いとは異なる色に対して補正する必要があり、本発明のように特定色を補正する場合にスルー画像と実際の被写体をユーザーは見比べて色補正を利用して実際の被写体の色にスルー画像を近づけることが必要である。
【００５７】
（その他の実施形態）
図１４は、本発明の他の実施形態に係る撮像装置の特定色補正モード選択後の動作を示すフローチャート図である。
以下、図１，２を参照しながら、図１４に示すフローチャート図を使用して、本実施形態に係る撮像装置の特定色補正モード選択後の動作を説明する。
図１４では、特定の色に対して、色相、彩度を補正することができる特定色補正モードを選択した後のフローが示されている。
（ステップＳ５１）
まず、ステップＳ５１では、特定色補正モードに入った場合の処理、即ち、特定色の補正処理を行う。
図１５は、特定色補正モードに入ったときにＬＣＤ画面に表示される選択画面を示した説明図であり、このうち、図１５（ａ）は特定色の選択画面、図１５（ｂ）は彩度、色相の選択画面、図１５（ｃ）は色相を変更する場合の変更方向の選択画面を、それぞれ示すものである。
【００５８】
例えば、図１５（ａ）に示す特定色の補正画面では、画面左側のレッド、グリーン、ブルー、シアン、マゼンタおよびイエローが表示されているが、これらは予め設定されている特定色である。画面右側には、彩度と色相を選択する選択領域と色補正値を変更するスライドバーが設けられている。予め設定されている特定色については、図９に示すように、色空間上（図ではＣｂＣｒ空間）で領域を区切って定義をしておく。図９に示す例では、どの色相でも領域幅は全て等しいものとしているが、例えばブルーの選択は広げるなど、色相によって選択範囲を変更してもよい。ユーザーは、操作キーユニット１１０（図２）を使用して、表示された特定色の中から補正したい色を選択する。１度に選択できる特定色は、１色であり、１つの特定色が選択されると、選択されたことが分かるように他の色と異なる表示にする（図１５（ａ）に示す例ではグリーンが選択されていることを示している）。
特定色が選択されると、特定色補正モードに入ったことにより、右側の彩度・色相選択画面（図１５（ｂ））が表示される。この画面から、彩度、色相の選択を行い、それぞれ特定色の設定を変えることができる（ここでは、−２から＋２までの５段階設定が可能である）。選択されている特定色を変更したい場合には、操作キーユニット１１０で異なる特定色を選択することで選択することができる。
【００５９】
（ステップＳ５２）
次に、ステップＳ５２では、ユーザーが特定色を選択することを要求しているか否かを検証し、ユーザーが特定色を選択することを要求している場合は、ユーザーに該要求を許可することを伝えた後、ステップＳ５３に進む。他方、ユーザーが特定色を選択することを要求していない場合はステップＳ５９に移る。
（ステップＳ５３）
ステップＳ５３では、ユーザーがヘルプ画像を選択することを要求しているか否かを検証し、ユーザーがヘルプ画像を選択することを要求していない場合は、ステップＳ５４に進み、他方、ユーザーがヘルプ画像を選択することを要求している場合は、ステップＳ６１にてサンプル画像（図１６（ｃ））を表示した後、ステップＳ６１からステップＳ５４に移る。
【００６０】
（ステップＳ６１）
ステップＳ６１は、ヘルプモードとなった場合の処理を行う。この処理では、領域選択モードとは別の方法として、前述のとおり、特定色選択後にサンプル画像（図１６（ｃ））を表示する。例えば、前述のように色相はスライダーを右側に動かした場合には、図１５（ｃ）で示すような色相環としたとき、時計回り方向に色相を回転させるが、直感的にイメージしにくい。そこで、特定色選択後に特定の操作キーを押すことで、図１６（ｃ）のようなイメージ図を表示することができる。ここで、もう一度特定の操作キーを押すことで、図１５（ｂ）に示す画面に戻り、彩度および色相の選択を行うことができる。
この方法だと、段階的な細かい設定は分からないが、大まかな方向を直感的に理解することができる。
また、サンプル画像は、ブロック内に均一の色を表示してもよいし、風景の画像など実際の画像を表示しても良い。
（ステップＳ５４）
ステップＳ５４では、測色モードが指定されたか否かを検証し、測色モードが指定された場合は、以後、測色モードとしてステップＳ５５に進む。他方、測色モードが指定されていない場合は、ステップＳ５８に移る。
【００６１】
（ステップＳ５５）
ステップＳ５５では、領域選択画面（図１６（ａ））を表示し、領域の選択を行う（領域選択処理の詳細については、図１７に示すフローチャート図を参照して後述する）。
図１７は、測色モードについての詳細な処理手順を示すフローチャート図である。
同図に示す処理手順の詳細説明は後述するが、概要としては、最初に図１６（ａ）に示すように、測色を行う領域を設定する。該領域を設定した後、該領域のCb、Cr値を算出し、特定色であるか否かの判定を行う。
（ステップＳ５６）
ステップＳ５６では、選択した色が判定領域内であるか否かを検証し、選択した色が判定領域内であればステップＳ５７に進み、図１６（ｂ）の画面を表示する。他方、選択した色が判定領域内に無い場合は、ステップＳ６２に移って警告表示処理を行い、「選択している特定色に対して判定領域内に無い」という主旨の警告を出力する（この警告表示処理の処理手順は、図１７を参照して後述する）。
（ステップＳ５７）
ステップＳ５７では、領域選択後の彩度色相選択画面（図１６（ｂ））を表示し、彩度色相の選択を行い、ステップＳ５８に進む。
【００６２】
（ステップＳ５８）
ステップＳ５８では、色補正設定値の変更を行う。この色補正設定値の変更方法は、図１５（ｂ）に示すように、彩度または色相の項目を選択し、表示されたスライダー１３１を移動させて行う。操作キーユニット１１０を使用して彩度又は色相を選択し、スライダー１３１を左右に動かすことで選択した項目の設定値が変更される。彩度を選択しスライダー１３１を右側に動かした場合には、彩度が濃く（高く）なり、左側に動かした場合には彩度が薄く（低く）なる。一方、色相を選択する場合には、図１５（c）で示すような色相環としたとき、スライダー１３１を右側に動かした場合には、該色相環の色相は時計回り方向に回転し、スライダー１３１を左側に動かした場合には、該色相環の色相は反時計回りに回転する。スライダー１３１は、複数ステップを設けて段階的にスライドさせることが好ましい。
（ステップＳ５９）
ステップＳ５９では、前述の各モードが全て完了したか否かを検証し、前述の各モードが全て完了していない場合は、ステップＳ５２に戻る。他方、前述の各モードが全て完了した場合にはステップ６０に進む。
【００６３】
（ステップＳ６０）
ステップＳ６０では、特定色補正モードの完了に伴う退出処理を行い、処理を終了する。
図１７は、本発明の他の実施形態に係る撮像装置の測色モード時の動作を示すフローチャート図である。
（ステップＳ７１）
まず、ステップＳ７１では、ステップＳ５１と同様に、特定色補正モードに入った場合の処理、即ち、特定色の補正処理を行う。
（ステップＳ７２）
次に、ステップＳ７２では、領域選択画面（図１６（ａ））を表示し、図１６（ａ）に示すように、測色を行う画像領域を設定する。
ステップＳ７３では、該設定した画像領域に対する画像処理として、Cb、Cr値を算出する。
【００６４】
（ステップＳ７４）
次に、ステップＳ７４では、判定領域内の特定色であるか否かの判定を行う。
（ステップＳ７５）
次に、ステップＳ７５では、前記判定結果を検証し、特定色であればステップＳ７６に進む。他方、特定色でなければステップＳ７９に移って警告表示を行う。この警告表示を行った場合、即ち、選択した色が判定領域内に無く、他の判定領域内に有る場合（例えば、レッドを選択していたにもかかわらず、選択した色がマゼンタの判定領域に含まれる場合）、該警告表示後、マゼンタの特定色選択画面に移行することができる。
なお、ステップＳ７４，Ｓ７５における特定色判定処理の詳細は、図１８を参照して後述する。
【００６５】
（ステップＳ７６）
ステップＳ７６では、画像処理設定された彩度および色相での現像を行う。
（ステップＳ７７）
ステップＳ７７では、特定色の判定領域内であると判断された場合であるので、図１６（ｂ）に示す画面を表示する。
（ステップＳ７８）
最後に、ステップＳ７８では、特定色補正モードの設定が解除されたか否かを検証し、特定色補正モードの設定が未だ解除されていない場合は、ステップＳ７２に戻る。他方、特定色補正モードの設定が解除された場合は、処理を終了する。
【００６６】
図１８は、本発明の他の実施形態に係る撮像装置の特定色判定処理の動作を示すフローチャート図である。
前述の方法で特定色を選択する。
（ステップＳ９２）
次に、ステップＳ９２では、設定された特定色の範囲領域を判定し、設定された特定色が特定色の範囲領域であればステップＳ９３に進む。他方、設定された特定色が特定色の範囲領域でなければ、ステップＳ９５に移る。
この特定色の範囲領域の判定方法として、例えば、一定の画素数の範囲（例えば５×５の画素）で判定を行い、所定の画素の画素数が所定の閾値以上（例えば５／２５画素）であれば特定色の判定領域内であると判定し、該閾値以下の場合は判定領域外と判定する。なお、特定色であるか否かの判定は、図１１に示すように、着目画素のＣｂ、Ｃｒの値が特定色の領域に含まれているか否かで判定する。
【００６７】
（ステップＳ９３）
ステップＳ９３では、特定色の判定領域内であると判断された場合であるので、図１６（ｂ）に示す画面を表示する。ここでは、取得した画像に対して、彩度、色相それぞれの設定で画像処理を行った場合の現像結果を表示する。また、それぞれのブロックには、判定領域の周辺の画像を切り出して表示する。
（ステップＳ９４）
ステップＳ９４では、特定色判定処理の完了に伴う退出処理を行い、処理を終了する。
（ステップＳ９５）
ステップＳ９５では、選択された特定色が判定領域外であることを示す警告を表示する。
（ステップＳ９６）
次に、ステップＳ９６では、選択された特定色が、むしろ他の特定色の判定領域内に入るか否かを検証し、選択された特定色が、他の特定色の判定領域内に入る場合はステップＳ９７に進む。他方、選択された特定色が、他の特定色の判定領域でもない場合は処理を終了する。
（ステップＳ９７）
【００６８】
次に、ステップＳ９７では、判定された他の特定色を選択させる。即ち、選択した色が判定領域内になく、他の判定領域内にある場合（例えば、レッドを選択していたにもかかわらず、選択した色がマゼンタの判定領域に含まれる場合）には、ステップＳ９５での警告表示後、マゼンタの特定色選択画面に移行することができる。
以上で特定色の色補正設定が完了する。この特定色補正モードを抜けるには、操作キーユニット１１０にモード終了を別途割り当てておくなどの方法が可能である。この特定色補正モードで設定した後は、静止画撮影時には該設定した色補正値で撮影するものとする。
なお、一般に、ディジタルカメラでは、パソコンで後処理できるという利点があるが、忠実に色を再現させようと思っても撮影時の被写体色を正確に記憶して後からパソコン処理することは難しい。一番忠実に色を再現させる方法は、撮影時に被写体を目の前にして正しい色設定で撮影して撮影画像と被写体が同じ色であるかどうかを確認することである。そのためには、実際の色合いとは異なる色に対して補正する必要があり、本発明のように特定色を補正する場合にスルー画像と実際の被写体をユーザーは見比べて色補正を利用して実際の被写体の色にスルー画像を近づけることが必要である。
よって、本発明に係る撮像装置および撮像処理方法は、請求項１、２、３および１３に対応する効果として、特定色以外を無彩色にしてスルー画像を表示することにより、ユーザーは現在見ている被写体の中でどの色の彩度と色相を補正しようとしているのかを容易に認識することが可能となる効果が有る。
【００６９】
また、請求項４、５および１４に対応する効果として、選択した特定色の彩度、色相の色補正値を変更したときに変更前と変更後のスルー画像を所定時間間隔で切り替えることで、ユーザーは、色補正の変更具合を比較しながら確認することができ、意図した色補正を選択することができる効果が有る。
さらに、請求項４、６に対応する効果として、選択した特定色の彩度、色相の色補正値を変更したときに変更前と変更後のスルー画像を並べて表示し、同時に変更前後の色を確認できるようにすることで色の違いを容易に認識し、ユーザーは色補正値を変更して正確な色合わせをすることが可能となる効果が有る。
また、請求項７、８、９および１５に対応する効果として、変更したい色をユーザーが選択し、選択した色について、彩度，色相を変更して実際に色補正を行った画像を選択することで、実際の被写体と比べて比較を行うことが可能となり、正確な色合わせを行うことができると共に、実際の処理を行うことで、スルー画と撮影後の色味の違いによる失敗を防ぐことができる効果が有る。
【００７０】
また、請求項１０、１１に対応する効果として、特定色の選択、もしくは領域選択時に指定した色の選択が誤っていた場合には、警告を出すことでユーザーの操作性を向上させることができる効果か有る。
また、請求項１２に対応する効果として、ヘルプモードとして設定値とサンプル画像とを併せて表示させることで、設定をどちらに変更した場合にどう変化するかといった作用効果についての、大まかなイメージを簡単に把握することができる効果が有るとともに、さらに、撮影前に事前に色味の設定を変えておきたい場合などには、その場に実際の色サンプルが無くても概要を把握することかできる効果がある。
【符号の説明】
【００７１】
１  サブ液晶ディスプレイ（サブＬＣＤ）
２  レリーズボタン
３  ストロボ発光部
４  モードダイアル
５  測距ユニット
６  リモートコントロール（リモコン）受光部
７  鏡胴ユニット
８  オートフォーカス表示用発光ダイオード（ＡＦ表示用ＬＥＤ）
９  ストロボ表示用発光ダイオード（ストロボ表示用ＬＥＤ）
１０  液晶ディスプレイモニタ（ＬＣＤモニタ）
１１  光学ファインダ
１２  ズームボタン
１３  電源スイッチ
１４  操作部
１０１  ＣＣＤ（撮像素子）
１０２  フロントエンド部
１０３  ＳＤＲＡＭ（シンクロナスダイナミックランダムアクセスメモリ）
１０４  カメラプロセッサ
１０７  ＲＡＭ（ランダムアクセスメモリ）
１０８  ＲＯＭ（リードオンリメモリ）
１０９  サブ中央処理部（サブＣＰＵ）
１１０  操作キーユニット
１１１  サブＬＣＤドライバ
１１３  ブザー
１１４  ストロボ回路
１１５  音声記録ユニット
１１６  音声再生ユニット
１１７  ＬＣＤドライバ
１１８  ビデオアンプ（ビデオ増幅器）
１１９  ビデオコネクタ
１２０  内蔵メモリ
１２１  メモリカードスロット
１２２  ＵＳＢ（ユニバーサルシリアルバス）コネクタ
１２３  シリアルインタフェース部
１２４  メモリカード
７−１  ズーム光学系
７−１ａ  ズームレンズ系
７−１ｂ  ズームモータ
７−２  フォーカス光学系
７−２ａ  フォーカスレンズ系
７−２ｂ  フォーカスモータ
７−３  絞りユニット
７−３ａ  絞り
７−３ｂ  絞りモータ
７−４  メカシャッタユニット
７−４ａ  メカシャッタ
７−４ｂ  メカシャッタモータ
７−５  モータドライバ
１０２−１  相関２重サンプリング部（ＣＤＳ）
１０２−２  自動利得制御部（ＡＧＣ）
１０２−３  Ａ／Ｄ（アナログ−ディジタル）変換部
１０２−４  タイミングジェネレータ（ＴＧ）
１０４−１  ＣＣＤ１信号処理ブロック
１０４−２  ＣＣＤ２信号処理ブロック
１０４−３  ＣＰＵ（中央処理部）ブロック
１０４−４  ローカルＳＲＡＭ（ローカルスタティックランダムアクセスメモリ）
１０４−５  ＵＳＢ処理ブロック
１０４−６  シリアル処理ブロック
１０４−７  ＪＰＥＧコーデック（ＣＯＤＥＣ）ブロック
１０４−８  リサイズ（ＲＥＳＩＺＥ）ブロック
１０４−９  ビデオ信号表示ブロック
１０４−１０  メモリカードコントローラブロック
１１５−１  音声記録回路
１１５−２  マイクアンプ
１１５−３  マイク（マイクロフォン）
１１６−１  音声再生回路
１１６−２  オーディオアンプ（オーディオ増幅器）
１１６−３  スピーカ
１２３−１  シリアルドライバ回路
１２３−２  シリアルコネクタ
１３０，１３１  スライダー
【先行技術文献】
【特許文献】
【００７２】
【特許文献１】特開２００６−８７０５４号公報
【特許文献２】特開２００９−６５６４４号公報
【特許文献３】特開２００９−６５６４５号公報
【図１】
0005553230.tif 000002
【図２】
0005553230.tif 000003
【図３】
0005553230.tif 000004
【図４】
0005553230.tif 000005
【図５】
0005553230.tif 000006
【図６】
0005553230.tif 000007
【図７】
0005553230.tif 000008
【図９】
0005553230.tif 000009
【図１０】
0005553230.tif 000010
【図１１】
0005553230.tif 000011
【図１２】
0005553230.tif 000012
【図１４】
0005553230.tif 000013
【図１７】
0005553230.tif 000014
【図１８】
0005553230.tif 000015
【図８】
0005553230.tif 000016
【図１３】
0005553230.tif 000017
【図１５】
0005553230.tif 000018
【図１６】
0005553230.tif 000019